(57)【要約】【課題】現場への運搬が容易であり、かつ、現場での設置も容易なユニットバスの床構造の提供。【解決手段】高さ調整ボルト４Ｂを有するフレーム４と、フレーム４上に載置される洗い場パン５と、フレーム４上に載置された洗い場パン５に隣接して設置される浴槽パン６であり、下部に高さ調整ボルト６Ｂを有する浴槽パン６とを含むユニットバスの床構造１であり、フレーム４上に洗い場パン５のみが載置されるため、フレーム４が小さく、現場への運搬が容易である。一方、浴槽パン６は下部に高さ調整ボルト４Ｂを有し、フレーム４上に載置された洗い場パン５に隣接して直接設置されるため、現場での設置が容易である。【選択図】図１
2018080515.tif 000002
【特許請求の範囲】
【請求項１】
高さ調整可能な脚部を有するフレームと、
前記フレーム上に載置される洗い場パンと、
前記フレーム上に載置された洗い場パンに隣接して設置される浴槽パンであり、下部に高さ調整可能な脚部を有する浴槽パンと
を含むユニットバスの床構造。
【請求項２】
前記浴槽パンは点検口を有するものである請求項１記載のユニットバスの床構造。
【発明の詳細な説明】
【技術分野】
【０００１】
本発明は、工場内にて成型されたフレームやパン等を現場に搬入して組み立てることにより形成されるユニットバスの床構造に関する。
【背景技術】
【０００２】
ユニットバスの床構造として、例えば特許文献１には、長方形状のフレーム部と洗い場パンと浴槽パンとからなり、フレーム部に仕切り部が設けられるとともに、この仕切り部によって洗い場パン載置部と浴槽パン載置部とに区画されたユニットバスの床構造が開示されている。また、洗い場パン載置部には、互いに直交する桟部が架設され、フレーム部の四隅および仕切り部の下部には複数本の高さ調整ボルトが垂設されている。また、この床構造では、洗い場パンを載置する前に桟部の間から下地の点検や排水系統の接続等を容易に行うことが可能となっている。
【先行技術文献】
【特許文献】
【０００３】
【特許文献１】特開２００６−１６９８０５号公報
【発明の概要】
【発明が解決しようとする課題】
【０００４】
ところが、上記特許文献１に記載の床構造では、洗い場パンと浴槽パンとは別体となっているものの、フレーム部は洗い場パン載置部と浴槽パン載置部とが一体となっている。そのため、フレーム部はユニットバスの床面と同じ大きさとなっており、工場内で製造されたフレーム部を現場へ運搬することが困難となることがある。
【０００５】
そこで、本発明においては、現場への運搬が容易であり、かつ、現場での設置も容易なユニットバスの床構造を提供することを目的とする。
【課題を解決するための手段】
【０００６】
本発明のユニットバスの床構造は、高さ調整可能な脚部を有するフレームと、フレーム上に載置される洗い場パンと、フレーム上に載置された洗い場パンに隣接して設置される浴槽パンであり、下部に高さ調整可能な脚部を有する浴槽パンとを含むものである。
【０００７】
本発明のユニットバスの床構造では、フレーム上に洗い場パンのみが載置されるため、フレームが小さく、現場への運搬が容易である。一方、浴槽パンは下部に高さ調整可能な脚部を有し、フレーム上に載置された洗い場パンに隣接して直接設置されるため、現場での設置が容易である。
【０００８】
ここで、浴槽パンは点検口を有するものであることが望ましい。これにより、浴槽パンの設置の際は、この浴槽パンの点検口からも脚部の高さを調整することが可能である。
【発明の効果】
【０００９】
（１）高さ調整可能な脚部を有するフレームと、フレーム上に載置される洗い場パンと、フレーム上に載置された洗い場パンに隣接して設置される浴槽パンであり、下部に高さ調整可能な脚部を有する浴槽パンとを含む構成により、現場への運搬が容易であり、かつ、現場での設置も容易なユニットバスの床構造が得られる。
【００１０】
（２）浴槽パンが点検口を有するものであることにより、浴槽パンの設置の際は、この浴槽パンの点検口からも脚部の高さを調整することが可能であるため、さらに現場での設置が容易となる。
【図面の簡単な説明】
【００１１】
【図１】本発明の実施の形態におけるユニットバスの床構造を示す斜視図である。
【図２】図１の洗い場部分を洗い場パンとフレームとに分解した斜視図である。
【図３】図１の浴槽パンを示す斜視図である。
【図４】図３の浴槽パンを裏面側からみた斜視図である。
【発明を実施するための形態】
【００１２】
図１は本発明の実施の形態におけるユニットバスの床構造を示す斜視図、図２は図１の洗い場部分を洗い場パンとフレームとに分解した斜視図、図３は図１の浴槽パンを示す斜視図、図４は図３の浴槽パンを裏面側からみた斜視図である。
【００１３】
図１に示すように、本発明の実施の形態におけるユニットバスの床構造１は、洗い場部２と浴槽部３とから構成される。洗い場部２は、図２に示すように、フレーム４と、このフレーム４上に載置される洗い場パン５とから構成される。一方、浴槽部３は、図３に示すように浴槽パン６から構成される。
【００１４】
フレーム４は、洗い場部２の大きさに応じて、角パイプ４Ａを組み合わせることにより略長方形状に形成されている。角パイプ４Ａは、５０ｍｍ角のユニクロめっき製である。また、フレーム４には、高さ調整可能な脚部としての高さ調整ボルト４Ｂが設けられている。洗い場パン５は、ＦＲＰ（繊維強化プラスチック）製である。
【００１５】
浴槽パン６は、ＦＲＰ（繊維強化プラスチック）製である。浴槽パン６には点検口６Ａが設けられている。点検口６Ａは、この浴槽パン６上に図示しない浴槽が設置された際に隠れる位置に設けられている。また、浴槽パン６の下部には、図４に示すように、高さ調整可能な脚部としての高さ調整ボルト６Ｂが設けられている。点検口６Ａは、浴槽パン６の上部から高さ調整ボルト６Ｂを操作可能な位置に形成されている。
【００１６】
上記構成のユニットバスの床構造１は、まず、設置場所に対して高さ調整ボルト４Ｂにより高さ調整を行いながらフレーム４を設置し、このフレーム４を構成する角パイプ４Ａの間４Ｃから排水の配管等を行う。次に、フレーム４上に洗い場パン５を仮置きし、高さの確認および調整を行った後、フレーム４上に接着剤を塗布し、洗い場パン５を載置して固定する。
【００１７】
次に、このフレーム４上に載置された洗い場パンに隣接して浴槽パン６を設置する。浴槽パン６は設置場所に対して直接設置される。このとき、浴槽パン６の点検口６Ａから浴槽パン６の下部の高さ調整ボルト６Ｂを操作することが可能であり、浴槽パン６の高さ調整は容易である。
【００１８】
以上のように、本実施形態におけるユニットバスの床構造１は、高さ調整ボルト４Ｂを有するフレーム４と、フレーム４上に載置される洗い場パン５と、フレーム４上に載置された洗い場パン５に隣接して設置される浴槽パン６であり、下部に高さ調整ボルト６Ｂを有する浴槽パン６とから構成され、浴槽パン６の下部には別体のフレーム等は設けないため、現場への運搬が容易であり、現場での設置も容易である。
【産業上の利用可能性】
【００１９】
本発明は、工場内にて成型されたフレームやパン等を現場に搬入して組み立てることにより形成されるユニットバスの床構造として有用である。
【符号の説明】
【００２０】
１  ユニットバスの床構造
２  洗い場部
３  浴槽部
４  フレーム
４Ｂ  高さ調整ボルト
５  洗い場パン
６  浴槽パン
６Ａ  点検口
６Ｂ  高さ調整ボルト
【図１】
2018080515.tif 000003
【図２】
2018080515.tif 000004
【図３】
2018080515.tif 000005
【図４】
2018080515.tif 000006